(57)【要約】【課題】ジャッキ作動による部材のスライド案内面におけるいわゆる「かじり」の発生を未然に防止し、円滑なスライド作動を実現してジャッキによる進退動作を阻害しない。【解決手段】ジャッキＪ作動によって、被揚重物Ｐを載置するリフトフォーク２０をジャッキベース１にスライド案内手段１０によって上下動させて被揚重物Ｐを昇降する。スライド案内手段１０は、前面側に至るに伴い次第に広幅となる断面蟻溝外郭形状にしてジャッキベース１側に上下方向に沿って配設したスライド突条部１１と、このスライド突条部１１に抜脱されることなくスライド自在に嵌め合うよう、奥部に至るに伴い次第に広幅となる断面蟻溝形状にしてリフトフォーク２０側に上下方向に沿って配設したスライド溝部１２と、スライド突条部１１の外側面、スライド溝部１２の内側面のいずれか一方に配設されて相互間に介在される潤滑剤含有材製のスライド案内体１３とを備えて成る。【選択図】図１
2013035667.tif 000002
【特許請求の範囲】
【請求項１】
ジャッキ作動によって、所定の被揚重物を載置するリフトフォークをジャッキベースに対しスライド案内手段によって上下動させて被揚重物を昇降するジャッキ装置において、スライド案内手段は、前面側に至るに伴い次第に広幅となる断面蟻溝外郭形状にしてジャッキベース側に上下方向に沿って配設したスライド突条部と、このスライド突条部に抜脱されることなくスライド自在に嵌め合うよう、奥部に至るに伴い次第に広幅となる断面蟻溝形状にしてリフトフォーク側に上下方向に沿って配設したスライド溝部と、スライド突条部の外側面、スライド溝部の内側面のいずれか一方に配設されて、相互間に介在される潤滑剤含有材製のスライド案内体とを備えて成ることを特徴とするジャッキ装置。
【請求項２】
スライド案内手段のスライド突条部は、所定のジャッキを内装固定させるよう後方が開放された平面ほぼコ字形状で、ジャッキベース上に立脚した支持枠の正面に配設されており、スライド溝部は、被揚重物を載置するフォーク部を有する側面Ｌ字形状のジャッキフォークを、支持枠外側で上下動するよう後方が開放されている平面ほぼコ字形状のスライド枠部に一体化させるジャッキフォークの立脚部背面に配設されている請求項１に記載のジャッキ装置。
【請求項３】
スライド案内体は、潤滑剤を含有させた金属材、合成樹脂材にて形成されていて、スライド溝部の内側面に一体的に接合固定されている請求項１または２に記載のジャッキ装置。
【請求項４】
ジャッキベースの後部には、所定のジャッキを内装状態で支持させるジャッキ支持部が設けられており、このジャッキ支持部は、後方が開放されていて、ジャッキベースに立脚されている平面ほぼコ字形状の支持枠と、この支持枠の開放部の底部において開放部左右縁相互間で連結した平面円弧状の底部枠とを備えている請求項１乃至３のいずれかに記載のジャッキ装置。
【請求項５】
ジャッキベースに設けたジャッキ支持部にスライド案内手段を介して上下動自在にリフトフォークを設け、このリフトフォークは、ジャッキ支持部における支持枠外側で上下動するよう後方が開放されている平面ほぼコ字形状のスライド枠部と、所定のジャッキにおけるジャッキロッド上端に連繋して、スライド枠部上部に固定されている上部カバーと、被揚重物を載置するフォーク部、スライド枠部内側面に当接する立脚部を有する側面ほぼＬ字形状で、スライド枠部２１の下部内側面に立脚部面で固定されているジャッキフォークとから成る請求項１乃至４のいずれかに記載のジャッキ装置。
【発明の詳細な説明】
【技術分野】
【０００１】
本発明は、例えば水圧の付加、解除によってシリンダ筐体から伸縮進退するシリンダロッドによって重量物等の被揚重物を昇降させるに際し、昇降作動をスライド案内するスライド案内手段における案内面での金属部材相互間の噛み合い、いわゆる「かじり」を防止して円滑にスライド作動させるようにしたジャッキ装置に関する。
【背景技術】
【０００２】
従来から、例えば油圧・水圧等の液体による流体圧力の付加、解除によって進退するロッド、あるいはスクリューネジの回転によって進退する座板等によって重量物たる被揚重物等を持ち上げたり、降ろしたりするジャッキ装置は、シリンダ筐体にシリンダロッド、座板等を出没伸縮するよう進退自在に装入して成り、また、シリンダロッド、座板等の円滑なスライド作動のために、スライド案内機構を設けてある。例えば特許文献１に示される運搬用昇降移動装置であり、特許文献２に示される重量物搬送具であり、特許文献３に示されるスクリュウジャッキのスライド装置およびその製造方法である。
【０００３】
特許文献１の運搬用昇降移動装置は、底面に車輪機構を備えたベース上にジャッキ機構を搭載してあって、被搬送物を載置支持するリフトフォーク盤をジャッキ機構のジャッキ部によって昇降するようにし、リフトフォーク盤をベース後部に形成したガイド部にスライド自在に噛み合わせてあることで昇降案内させるようにして成る。特許文献２の重量物搬送具は、底面に車輪を備えている摺動支持部上にスクリュウジャッキ等の調整部を設け、この調整部に、調整部上から上下動するよう挿入した軸部に固定支持部を配設すると共に、この固定支持部には重量物を載置する載置部を連結し、載置部は摺動支持部側面に形成されている溝状部によって案内される係止部を有していて、この溝上部と係止部とによって載置部がスライド案内されるようにしている。特許文献３のスクリュウジャッキのスライド装置は、ラムケース内に上下方向で進退動する内ラムを装入配置し、ラムケース内側面と内ケース外側との間で形成した突条と、これに噛み合う凹陥溝とのスライド嵌合によってラムケースに内ケースが案内されるようにしている。
【先行技術文献】
【特許文献】
【０００４】
【特許文献１】実開平６−４５９８２号公報
【特許文献２】特開平８−３２４７２９号公報
【特許文献３】特開２００４−９９２５８号公報
【発明の概要】
【発明が解決しようとする課題】
【０００５】
このような従来におけるジャッキ装置のスライド案内構成は、いずれも溝部とそれに噛み合う突条物とから成り、また、これらの溝部、突条物等は金属製素材によって構成されている。ただ、その摺動面が鏡面加工とはなっていないために、繰り返されるスライド作動に伴い金属面特有のざらつきによって擦り傷が生じ、それらが互いに引っ掛かることにもなる。このような引っ掛かりはいわゆる「かじり（ｓｃｕｆｆｉｎｇ）」を発生させ、このかじりが増大するとスライド面で膠着状態となってジャッキによるスライド作動の円滑性を損なわせる。
【０００６】
また、このいわゆるかじりは、スライド面相互間に潤滑液を塗布したり、その素材を例えばステンレス材等に変更したりしても、被揚重物の昇降のためのスライド方向が一般的には上下方向に沿うことで潤滑液が次第に流下、減少することもあって基本的には解消できず、その保守、点検等は面倒であった。
【０００７】
そこで本発明は上述したような従来存した諸事情に鑑み創出されたもので、その目的は例えばジャッキ作動による金属部材相互間のスライド案内面におけるいわゆる「かじり」の発生を未然に防止し、円滑なスライド作動を実現してジャッキによる進退動作を阻害しないようにしたジャッキ装置を提供することにある。
【課題を解決するための手段】
【０００８】
上述した課題を解決するため、本発明にあっては、ジャッキＪ作動によって、所定の被揚重物Ｐを載置するリフトフォーク２０をジャッキベース１に対しスライド案内手段１０によって上下動させて被揚重物Ｐを昇降するジャッキ装置において、スライド案内手段１０は、前面側に至るに伴い次第に広幅となる断面蟻溝外郭形状にしてジャッキベース１側に上下方向に沿って配設したスライド突条部１１と、このスライド突条部１１に抜脱されることなくスライド自在に嵌め合うよう、奥部に至るに伴い次第に広幅となる断面蟻溝形状にしてリフトフォーク２０側に上下方向に沿って配設したスライド溝部１２と、スライド突条部１１の外側面、スライド溝部１２の内側面のいずれか一方に配設されて、相互間に介在される潤滑剤含有材製のスライド案内体１３とを備えて成ることを特徴とする。
スライド案内手段１０のスライド突条部１１は、所定のジャッキＪを内装固定させるよう後方が開放された平面ほぼコ字形状で、ジャッキベース１上に立脚した支持枠３の正面に配設されており、スライド溝部１２は、被揚重物Ｐを載置するフォーク部２４を有する側面Ｌ字形状のジャッキフォーク２３を、支持枠３外側で上下動するよう後方が開放されている平面ほぼコ字形状のスライド枠部２１に一体化させるジャッキフォーク２３の立脚部２５背面に配設されていることで、構成することができる。
スライド案内体１３は、潤滑剤を含有させた金属材、合成樹脂材にて形成されていて、スライド溝部１２の内側面に一体的に接合固定されることで構成することができる。
ジャッキベース１の後部には、所定のジャッキＪを内装状態で支持させるジャッキ支持部２が設けられており、このジャッキ支持部２は、後方が開放されていて、ジャッキベース１に立脚されている平面ほぼコ字形状の支持枠３と、この支持枠３の開放部の底部において開放部左右縁相互間で連結した平面円弧状の底部枠４と、必要に応じジャッキベース１に穿設された支持孔５とを備えることで構成することができる。
ジャッキベース１に設けたジャッキ支持部２にスライド案内手段１０を介して上下動自在にリフトフォーク２０を設け、このリフトフォーク２０は、ジャッキ支持部２における支持枠３外側で上下動するよう後方が開放されている平面ほぼコ字形状のスライド枠部２１と、所定のジャッキＪにおけるジャッキロッドＲ上端に連繋して、スライド枠部２１上部に固定されている上部カバー２２と、被揚重物Ｐを載置するフォーク部２４、スライド枠部２１内側面に当接する立脚部２５を有する側面ほぼＬ字形状で、スライド枠部２１の下部内側面に立脚部２５面で固定されているジャッキフォーク２３とから成ることで構成することができる。
【０００９】
以上のように構成された本発明に係るジャッキ装置にあって、ジャッキベース１のジャッキ支持部２に内装支持させたジャッキＪの作動は、スライド案内手段１０を介してリフトフォーク２０を上下動させ、上下動するリフトフォーク２０によって所定の被揚重物Ｐを昇降させる。
スライド案内手段１０の潤滑剤含有材製のスライド案内体１３は、ジャッキベース１側のスライド突条部１１に対しリフトフォーク２０側のスライド溝部１２をいわゆるかじりを生じさせずに円滑にスライドさせる。
ジャッキ支持部２における支持枠３はジャッキＪを内装支持させ、リフトフォーク２０のスライド枠部２１は上部カバー２２にてジャッキＪのジャッキロッドＲを連繋すると共に、被揚重物Ｐを載置するジャッキフォーク２３を一体化し、また支持枠３正面のスライド突条部１１と、ジャッキフォーク２３の立脚部２５背面のスライド溝部１２との噛み合わせは、スライド案内手段１０を介した所定のジャッキＪのジャッキベース１上への組立を容易にさせる。
【発明の効果】
【００１０】
本発明は以上説明したように構成されているため、ジャッキＪ作動によって所定の被揚重物Ｐを昇降するときのスライド案内手段１０におけるスライド案内面にいわゆる「かじり」を発生させず、円滑なスライド作動を実現してジャッキＪによる上下動等の進退動作を阻害しない。
【００１１】
すなわちこれは、本発明において、リフトフォーク２０をジャッキベース１にスライド案内手段１０によって上下動させるとき、スライド案内手段１０は、ジャッキベース１側に配設したスライド突条部１１と、このスライド突条部１１にスライド自在に嵌め合うよう、リフトフォーク２０側に配設したスライド溝部１２と、スライド突条部１１の外側面、スライド溝部１２の内側面のいずれか一方に配設されて、相互間に介在される潤滑剤含有材製のスライド案内体１３とを備えて成るからである。これにより、従来であればスライド案内手段１０における金属材同士の擦れ合いによって生じる表面の擦り傷等に起因する、いわゆるかじりの発生が未然に防止され、円滑、安定した上下動を実現できる。
【００１２】
また、ジャッキベース１のジャッキ支持部２における支持枠３、底部枠４によってジャッキＪは内装状態でしっかり支持固定することができる。一方、リフトフォーク２０は、スライド枠部２１、上部カバー２２、ジャッキフォーク２３によって一体的に形成されていると共に、ジャッキＪのジャッキロッドＲに連繋されていることで、ジャッキＪの作動に追随してスライド案内手段１０を介して上下動するのであり、スライド案内手段１０を介したジャッキ支持部２、リフトフォーク２０両者間の組立更には保守、点検も容易にする。
【００１３】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１４】
【図１】本発明を実施するための一形態を示す一部切欠分解斜視図である。
【図２】同じく一部切欠側面図である。
【図３】同じく一部切欠平面図である。
【発明を実施するための形態】
【００１５】
以下、図面を参照して本発明を実施するための一形態を説明すると、図において示される符号１は床面・地面その他の起重場所の載置面上に据え付けられる平盤状のジャッキベースである。このジャッキベース１には、例えば水圧で作動するジャッキＪ、このジャッキＪの筐体上部から出没進退するジャッキロッドＲに連繋されているリフトフォーク２０、このリフトフォーク２０のスライド進退を案内するスライド案内手段１０が設けられていて、上下動することになるリフトフォーク２０に載置される重量物たる所定の被揚重物Ｐを昇降させるようになっている。
【００１６】
ジャッキベース１は、正面中央部がほぼ矩形状に切り欠かれることで凹所となっていて、平面から見て基本的にはほぼ倒凹字形状を呈する所定肉厚、所定重量を有する金属盤にて形成されている。このジャッキベース１の後部には、所定の例えば水圧で作動するジャッキＪを内装状態で支持させるジャッキ支持部２が設けられており、このジャッキ支持部２は、後方が開放されていて、ジャッキＪの外径に比し小さくはない内法幅を有して、ジャッキベース１に立脚されている平面ほぼコ字形状の支持枠３と、この支持枠３の開放部の底部において開放部左右縁相互間で連結した平面円弧状の底部枠４とによって、また必要に応じジャッキベース１に穿設された支持孔５とを備えることで形成されている。
【００１７】
このジャッキ支持部２の支持枠３の開放縁上部の左右縁相互間で、平面から見てほぼ末広がり状を呈するコ字形状のハンドル６が跨るように付設されていて、本発明ジャッキ装置自体を運搬・移動可能にしている。
【００１８】
そして、このジャッキ支持部２の支持枠３における正面には、ジャッキＪの上部で出没するよう伸縮進退するジャッキロッドＲに連繋されているリフトフォーク２０を、その移動方向例えば昇降方向である上下方向に沿ってスライド案内させるスライド案内手段１０が設けられている。このスライド案内手段１０は、前面側に至るに伴い次第に広幅となる断面蟻溝外郭形状にして支持枠３正面に上下方向に沿って配設したスライド突条部１１と、このスライド突条部１１に抜脱されることなくスライド自在に嵌め合うよう、奥部に至るに伴い次第に広幅となる断面蟻溝形状にしてリフトフォーク２０背面に上下方向に沿って配設したスライド溝部１２と、スライド突条部１１の外側面、スライド溝部１２の内側面のいずれか一方に配設されて、相互間に介在される潤滑剤含有材製のスライド案内体１３とを備えて成る。
【００１９】
尚、リフトフォーク２０は、ジャッキベース１上のジャッキ支持部２における支持枠３外側で上下動するよう後方が開放されている平面ほぼコ字形状のスライド枠部２１と、所定のジャッキＪにおけるジャッキロッドＲ上端の例えば座盤に連繋して、スライド枠部２１上部開口を閉塞するよう、上部縁に溶接等で固定されている上部カバー２２と、被揚重物Ｐを載置するよう、前記ジャッキベース１における正面側中央の凹所内に嵌り込むフォーク部２４、スライド枠部２１内側面に当接する立脚部２５を有する側面ほぼＬ字形状で、スライド枠部２１の下部内側面に立脚部２５面が当接した状態で溶接等で固定されているジャッキフォーク２３とから成り、これらは一体的に形成されている。また、上部カバー２２、ジャッキフォーク２３のフォーク部２４それぞれの上面には例えば左右方向に沿う断面Ｖ字形状の所定数の滑り止め溝が所定間隔で形成されている。
【００２０】
スライド案内手段１０におけるスライド突条部１１は、支持枠３の正面で、平板状部分と蟻溝外郭状部分とが一体となった平面でほぼＫ字外郭形状を呈するように形成されていて、その平板状部分で支持枠３正面にその上下方向に沿って例えば溶接等でしっかりと固着されている（図３参照）。
【００２１】
一方、スライド溝部１２は、スライド突条部１１の蟻溝外郭状部分にスライド自在に噛み合う蟻溝形状に形成されていて、図示にあっては、リフトフォーク２０におけるジャッキフォーク２３の立脚部２５背面に形成されていて、被揚重物Ｐの荷重が負荷されるフォーク部２４を直接的にスライド案内させることで、そのスライド作動の安定性が図れるように考慮している。
【００２２】
また、スライド案内体１３は、潤滑剤を含有させた金属材、合成樹脂材等にて形成されており、例えば高力黄銅系合金をベースとして固体潤滑剤を埋め込んで成り、金属材とのスライド接触によっても擦り傷その他を生じさせないものとなっている。図示にあってはスライド溝部１２の内側面に一体的に接合固定されるよう、スライド溝部１２の内側面形状に対応するよう所定肉厚に形成した蟻溝形材として形成されている。その接合固定は、例えばスライド案内体１３の外側面を接着剤にてスライド溝部１２の内側面に接着させると共に、スライド案内体１３内側面側からスライド溝部１２側に固着ネジ１４をネジ込むことで一体的になるように固着されて成る。もとより、固着ネジ１４の頭部は埋入状となっており、またこのスライド案内体１３は、スライド突条部１１の外側面に接合固定することもできる（図示せず）。
【００２３】
尚、前記ジャッキベース１におけるジャッキ支持部２の支持孔５は、ジャッキＪをジャッキ支持部２にセットするとき、例えば圧縮空気の噴射によってこの支持孔５内部に存する塵埃その他の夾雑物を除去されるものとされる。また、リフトフォーク２０における上部カバー２２内底面には、ジャッキ支持部２内にセットするジャッキＪの上部を固定するよう、外方から固定ネジ２７が進退自在にねじ込まれている固定枠２６が設けられていて、固定枠２６内に嵌め入れられるジャッキＪのジャッキロッドＲ上部を固定ネジ２７先端で押圧することで固定させる。
【００２４】
更には、ジャッキＪをリフトフォーク２０による爪付き用として使用しない場合には、固定ネジ２７によるジャッキＪとリフトフォーク２０との相互間の固定を解除して、ジャッキＪからリフトフォーク２０を取り外すことで、ジャッキＪの直接による被揚重物Ｐの昇降も選択して行えるようにしてある。
【００２５】
また、図中符号２８は、例えばジャッキベース１の後部縁に突設状に付設した板片上に枠部材を配することで凹部状に形成した液受部であり、取り外したジャッキＪから例えば漏出することがある水、油等の流体を一時的に貯留できるようにしてある。
【００２６】
次にこれの使用の一例を説明すると、図３に示すようにジャッキベース１における正面切欠部内にリフトフォーク２０のフォーク部２４を位置させておいて、この上に所定の被揚重物Ｐを載置し、ジャッキＪに対する流体圧の供給・解除等によってジャッキＪを作動する。このジャッキＪの作動によって被揚重物Ｐが上下動して昇降するとき、スライド案内手段１０におけるスライド案内体１３が、スライド突条部１１とスライド溝部１２とのスライド面相互間で円滑にスライドさせ、従来のようにいわゆるかじりを生じさせずにスライド方向に沿ってがたつかせずに安定状態でスライド作動させる。
【符号の説明】
【００２７】
Ｐ…被揚重物
Ｊ…ジャッキ                            Ｒ…ジャッキロッド
１…ジャッキベース                      ２…ジャッキ支持部
３…支持枠                              ４…底部枠
５…支持孔                              ６…ハンドル
１０…スライド案内手段                  １１…スライド突条部
１２…スライド溝部                      １３…スライド案内体
１４…固着ネジ
２０…リフトフォーク                    ２１…スライド枠部
２２…上部カバー                        ２３…ジャッキフォーク
２４…フォーク部                        ２５…立脚部
２６…固定枠                            ２７…固定ネジ
２８…液受部
【図１】
2013035667.tif 000003
【図２】
2013035667.tif 000004
【図３】
2013035667.tif 000005